(57)【要約】【課題】平面形状が円形となった食品包装容器において、電子レンジ機器による加熱で熱くなっている容器本体に手を掛けずに、容器本体から蓋体・中皿を外すことができる。【解決手段】平面形状が円形となった食品包装容器Ｐを、外周縁が下方に折れ曲がった容器側フランジ部２を有する容器本体１と、容器本体１の容器側フランジ部２の上面から側面にかけて覆い被さって容器側フランジ部２の下縁に引っ掛かるよう内向き突部２３を形成した中皿側フランジ部２２を外周縁に有する中皿２１と、中皿２１を閉蓋する蓋体１１とから構成する。そして、相互を径方向に沿う外方に引っ張ることで、容器側フランジ部２の下縁に対する中皿側フランジ部２２の係合を解くよう容器側フランジ部２の対向位置における側面下縁から舌片状のつまみ部３ａ，３ｂを延設する。また、中皿側フランジ部２２の周縁には内面が溝状となって形成した蒸気抜き部２４を設ける。【選択図】図１
0003157861.tif 000002
【実用新案登録請求の範囲】
【請求項１】
外周縁が下方に折れ曲がった容器側フランジ部を有する容器本体と、容器本体の容器側フランジ部の上面から側面にかけて覆い被さって当該容器側フランジ部の下縁に引っ掛かるよう内向き突部が形成された中皿側フランジ部を外周縁に有する中皿と、中皿を閉蓋する蓋体とから成る平面形状が円形となった食品包装容器において、相互を径方向に沿う外方に引っ張ることで、容器側フランジ部の下縁に対する中皿側フランジ部の係合を解くよう容器側フランジ部の対向位置における側面下縁から舌片状のつまみ部が延設されて成ることを特徴とする食品包装容器。
【請求項２】
中皿側フランジ部の周縁には、内面が溝状となって形成されて成る蒸気抜き部が設けられている請求項１記載の食品包装容器。
【考案の詳細な説明】
【技術分野】
【０００１】
本考案は、例えば冷蔵・冷凍される丼料理等の米飯と具材とを上下に分離した状態で多段的に包装収容しておき、電子レンジ機器による加熱調理後で食する際に、熱くなっている容器に直接に手で触れることなく簡単にワンタッチ式に開蓋できるようにした弁当等の食品包装容器に関する。
【背景技術】
【０００２】
従来、コンビニエンスストア等で販売されている例えば丼料理等の弁当として使用される食品包装容器は、蓋体が容器本体と別個に形成されており、食材が入れられた容器本体に蓋体が嵌着されて需要者側に提供される。そして、食品包装容器を電子レンジ機器等で加熱してから、容器本体を片手で保持した状態でもう一方の片手で蓋体を取り外して開蓋させるのであるが、食品包装容器自体は電子レンジ機器等で加熱されて熱くなっていることで手で直接触れると火傷することがある。
【０００３】
このような問題を解決すべく、従来では特許文献１に開示されているように、容器本体に手で直接に触れなくても容易に開蓋させることができる蓋付き包装用容器が提案されている。
【０００４】
すなわち、平面形状が角形の容器本体の額縁状張り出し縁の一対角線方向に位置する隅角部それぞれに、舌状をしたつまみ部が下向き外周縁から横方向稍下向きに一部を延長して設けられている。そして、つまみ部は、蓋体を閉じると蓋体の額縁状張り出し縁に押されて斜め下方を向く。蓋体を開けるときは、対称位置にあるつまみ部をそれぞれ手指でつまんで相互を対角線方向に沿って外方に引っ張ると、容器本体の額縁状張り出し縁のつまみ部に連なるその付近が延びて蓋体が押し上げられることにより蓋体は浮き上がるようにして開く。すなわち蓋体に全く手を掛けなくても容器本体から蓋体を外すことができるものとされている。
【先行技術文献】
【特許文献】
【０００５】
【特許文献１】特許第３００９１１２号公報
【考案の概要】
【考案が解決しようとする課題】
【０００６】
このように上記した特許文献１においては、平面形状が角形に形成された偏平な容器本体であることで、額縁状張り出し縁の一対角線方向に位置する隅角部それぞれに形成されている舌状のつまみ部の相互を対角線方向に沿う外方に引っ張ることで安定して開蓋できるのであるが、従来では平面形状が円形となった容器本体に対してこのようなつまみ部を設けたものが未だ存在しない。
【０００７】
また、丼料理における具材と米飯とのそれぞれの美味しさを賞味可能とすべく、これらを上下で分けて多段的に収容しておけるように、具材を載せて蓋体で閉蓋された浅底の中皿が、米飯を入れた容器本体の上側に被さるようにして内装されて成る丼料理等の食品包装容器が提案されている。ただ、このような食品包装容器においても、容器本体および中皿の双方に直接手を触れずに容器本体から中皿を外すことができるようにしたつまみ部を設けたものも未だ存在しない。特に、このような丼料理等の米飯と具材とを上下に分離した状態で多段的に包装収容可能とするだけの高さを有する丼形状を呈する食品包装容器にあっては、開蓋に際して容器本体自体が不安定となることから当該容器本体を手で直接握っておく必要があり、それだからこそ、電子レンジ機器で加熱調理した後に、容器本体が熱くなっているときには開蓋作業が一層困難となるのであった。
【０００８】
そこで、本考案は叙上のような従来存した諸事情に鑑み創案されたもので、具材を載せて蓋体で閉蓋された浅底の中皿が、米飯を入れた容器本体の上側に被さるようにして内装される平面形状が円形となった食品包装容器において、例えば電子レンジ機器による加熱後で熱くなっている中皿と容器本体とに直接手を触れずに当該容器本体から蓋体で閉蓋されている中皿を容易に外し、開放することができる食品包装容器を提供することを目的とする。
【課題を解決するための手段】
【０００９】
上述した課題を解決するために、本考案にあっては、外周縁が下方に折れ曲がった容器側フランジ部２を有する容器本体１と、容器本体１の容器側フランジ部２の上面から側面にかけて覆い被さって当該容器側フランジ部２の下縁に引っ掛かるよう内向き突部３ａ，３ｂが形成された中皿側フランジ部２２を外周縁に有する中皿２１と、中皿２１を閉蓋する蓋体１１とから成る平面形状が円形となった食品包装容器Ｐにおいて、相互を径方向に沿う外方に引っ張ることで、容器側フランジ部２の下縁に対する中皿側フランジ部２２の係合を解くよう容器側フランジ部２の対向位置における側面下縁から舌片状のつまみ部３ａ，３ｂが延設されて成ることを特徴とする。
そして、中皿側フランジ部２２の周縁には、内面が溝状となって形成されて成る蒸気抜き部２４が設けられているものとできる。
【００１０】
以上のように構成された本考案に係る食品包装容器Ｐにあって、中皿２１を閉じた位置で容器本体１のつまみ部３ａ，３ｂは中皿側フランジ部２２に押されて斜め下方に下がり、つまみ部３ａ，３ｂをつまんで相互を径方向に沿う外方に引っ張ることで、容器側フランジ部２の下縁に対する中皿側フランジ部２２の係合を解いて、容器本体１から当該中皿２１を浮き上がらせる。
また、中皿側フランジ部２２に設けられた蒸気抜き部２４は、電子レンジ機器で加熱した際に、容器本体１内部の食品から発生する余分の蒸気を外部へ排出させる。
【考案の効果】
【００１１】
本考案によれば、具材Ｓを載せて蓋体１１で閉蓋された浅底の中皿２１が、米飯Ｒを入れた容器本体１の上側に被さるようにして内装される平面形状が円形となった食品包装容器Ｐにおいて、例えば電子レンジ機器による加熱後で熱くなっている中皿２１と容器本体１とに直接手を触れずに、当該容器本体１から蓋体１１で閉蓋されている中皿２１をワンタッチ式に容易に外し、開放することができる。
【００１２】
すなわち、これは本考案が、平面形状が円形となった食品包装容器Ｐを、外周縁が下方に折れ曲がった容器側フランジ部２を有する容器本体１と、容器本体１の容器側フランジ部２の上面から側面にかけて覆い被さって当該容器側フランジ部２の下縁に引っ掛かるよう内向き突部２３が形成された中皿側フランジ部２２を外周縁に有する中皿２１と、中皿２１を閉蓋する蓋体１１とから構成し、相互を径方向に沿う外方に引っ張ることで、容器側フランジ部２の下縁に対する中皿側フランジ部２２の係合を解くよう容器側フランジ部２の対向位置における側面下縁から舌片状のつまみ部３ａ，３ｂが延設されて成るからであり、これにより、電子レンジ機器による加熱調理後で食するに際し、熱くなっている容器本体１に直接手で触れることなく、つまみ部３ａ，３ｂをつまんで相互を径方向に沿う外方に引っ張るだけで、容器本体１から蓋体１１で閉蓋されている中皿２１を容易に外し、開放することができ、例えば火傷等を未然に防ぐことができ、安全に使用することができる。
【００１３】
そして、中皿側フランジ部２２の周縁には内面が溝状となって形成されて成る蒸気抜き部２４が設けられているので、電子レンジ機器で加熱した際に、容器本体１内部の食品Ｒ・Ｓから発生する余分の蒸気を外部へ容易に逃がすことができ、これによって食品Ｒ・Ｓ自体の適度な蒸らし効果が期待できると同時に、過剰な蒸気圧により容器本体１を破損させてしまうのを未然に防止することができる。
【００１４】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１５】
【図１】本考案を実施するための一形態を示す分解斜視図である。
【図２】同じく組立状態の斜視図である。
【図３】同じく容器本体から中皿、蓋体を取り外す前の断面図である。
【図４】同じく容器本体から中皿、蓋体を取り外した直後の断面図である。
【図５】同じく蒸気抜き部の一例を示す断面図である。
【考案を実施するための形態】
【００１６】
以下、図面を参照して本考案の実施の形態を詳細に説明すると、図において示される符号Ｐは、例えば丼料理等の弁当として使用され、電子レンジ機器で加熱可能な平面形状が円形となった深底状の丼容器状を呈する食品包装容器である。この食品包装容器Ｐは、例えば１食分の炊き上げた米飯Ｒを収容するに足りる容積を有する例えばＰＰＦ製材（タルク、炭酸カルシウム等の無機質充填材を添加したポリプロピレン樹脂製材）等による容器本体１と、米飯Ｒ上に載せられる適当な分量の具材Ｓである例えば牛丼とする場合の牛肉、中華丼とする場合の中華材等を収容する深さ・容積を有する例えばＣ−ＰＥＴ製材による浅底の中皿２１と、中皿２１を閉蓋する例えば透明なＰＰ製材による蓋体１１とから成る。
【００１７】
容器本体１は、図１乃至図４に示すように、その開口部に、上部開口端の外周縁から下方に折れ曲がった断面略逆Ｕ字形の容器側フランジ部２が形成され、さらに容器側フランジ部２の対向位置には、相互を径方向に沿う外方に引っ張るようにした舌片状のつまみ部３ａ，３ｂが側面下縁から延設されている。また、容器本体１の内底面中央には縦横線溝状に窪ませた補強部４が形成されている。
【００１８】
中皿２１は断面凹状となっており、開口部の外周縁から下方に段差状に折れ曲がった断面略二段Ｌ字形の中皿側フランジ部２２が形成され、中皿側フランジ部２２の下方側内面には、中皿２１が容器側フランジ部２の上面から側面にかけて覆い被さった際に、当該容器側フランジ部２の下縁に中皿側フランジ部２２の下端側が引っ掛かるよう複数の内向き突部２３が例えば等間隔毎に形成されている。
【００１９】
そして、図３に示すように、中皿２１が容器本体１の開口部に、容器側フランジ部２の上面から側面にかけて覆い被さった際には、容器側フランジ部２の対向位置に延設されている舌片状のつまみ部３ａ，３ｂは中皿側フランジ部２２に押されて斜め下方に下げられるようになっている。
【００２０】
また、図５に示すように、中皿２１の内底面中央には縦横線溝状に窪ませた補強部２５が形成されている。さらに、容器本体１に中皿２１が被さった状態であっても、電子レンジ機器による加熱で内部の水蒸気が外部に抜け出るように中皿側フランジ部２２の周縁における例えば等間隔位置には、内側から外方に向けて突出させることで内面が例えば矩形溝状となって形成された蒸気抜き部２４が設けられている。
【００２１】
蓋体１１は、外周縁から下方に折れ曲がった断面略Ｌ字形の蓋側フランジ部１２が形成され、上面中央は、圧潰に対する補強のためあるいは上方に積み重なられる他の容器本体１の保持安定性等のために円形状に窪ませてある。蓋側フランジ部１２の内面には、蓋体１１が中皿２１の開口部に、中皿２１の中皿側フランジ部２２の上面から側面にかけて覆い被さった際に、当該中皿側フランジ部２２の下縁に蓋側フランジ部１２の下端側が引っ掛かるよう複数の内向き突部１３が例えば等間隔毎に形成されている。
【００２２】
また、蓋体１１の蓋側フランジ部１２の一部には中皿２１から当該蓋体１１を取り外すための取っ手１５が突設状に形成されている。さらに、蓋側フランジ部１２の周縁における例えば等間隔位置には内面が溝状となって形成されて成る蒸気抜き部２４が設けられ、容器本体１に蓋体１１が被さった状態であっても、電子レンジ機器による加熱で中皿２１内部の具材Ｓから生じる蒸気が外部に抜け出るようになっている（図５参照）。
【００２３】
尚、中皿２１、蓋体１１は、図示のように容器本体１、中皿２１それぞれに外嵌合式に嵌め合わされ、装着される場合に限らず、内嵌合式に嵌め合わされ、装着されることもあり、いずれも任意に選定できる。
【００２４】
次に、以上のように構成された形態についての使用の一例について説明すると、図１乃至図３に示すように、先ず、容器本体１内に米飯Ｒを入れる。さらに中皿２１に具材Ｓを入れて蓋体１１によって閉蓋する一方、容器本体１の開口部に中皿２１を嵌め入れ、中皿２１で閉じる。このとき、容器本体１のつまみ部３ａ，３ｂは中皿側フランジ部２２に押されて斜め下方に下がる。そして、必要に応じて食品包装容器Ｐ全体は透明な耐熱性シート材によってラッピングしても良い。
【００２５】
食する時には、耐熱性シート材を剥がしてから食品包装容器Ｐを電子レンジ機器に入れて加熱する。加熱調理後では、図４に示すように、つまみ部３ａ，３ｂそれぞれを両手でつまんで相互に径方向に沿う外方に引っ張ることで、容器側フランジ部２の下縁に対する中皿側フランジ部２２の内向き突部２３の係合が解かれて容器本体１から当該中皿側フランジ部２２が浮き上がる。また、中皿２１からは取っ手１５によって蓋体１１を取り外してから具材Ｓを容器本体１内の米飯Ｒ上に載せることで丼料理となして食する。こうして開封時には、電子レンジ機器による加熱後で熱くなっている容器本体１と中皿２１との両方に手を掛けずに、容器本体１から中皿２１が外され、開放することができる。
【００２６】
尚、上記した実施形態における平面形状が円形となった食品包装容器Ｐでは、具材Ｓを入れるための中皿２１を使用しているが、この中皿２１を使用せずに容器本体１を蓋体１１で直接閉じるようにしても良い。
【００２７】
すなわち、食品包装容器Ｐを、共に平面形状が円形となった例えばＰＰＦ製材による容器本体１と、例えば透明なＰＰ製材による蓋体１１とから構成し、蓋側フランジ部１２の内面には、蓋体１１が容器側フランジ部２の上面から側面にかけて覆い被さった際に、当該容器側フランジ部２の下縁に蓋側フランジ部１２の下端側が引っ掛かるよう複数の内向き突部１３が例えば等間隔毎に形成される。そして、容器本体１に蓋体１１が被された状態では、相互を径方向に沿う外方に引っ張ることで、容器側フランジ部２の下縁に対する蓋側フランジ部１２の係合を解くよう容器側フランジ部２の対向位置における側面下縁から舌片状のつまみ部３ａ，３ｂが延設されるのである。
【符号の説明】
【００２８】
Ｐ…食品包装容器                        Ｒ…米飯
Ｓ…具材
１…容器本体                            ２…容器側フランジ部
３ａ，３ｂ…つまみ部                    ４…補強部
１１…蓋体                              １２…蓋側フランジ部
１３…内向き突部                        １４…蒸気抜き部
１５…取っ手
２１…中皿                              ２２…中皿側フランジ部
２３…内向き突部                        ２４…蒸気抜き部
２５…補強部
【図１】
0003157861.tif 000003
【図２】
0003157861.tif 000004
【図３】
0003157861.tif 000005
【図４】
0003157861.tif 000006
【図５】
0003157861.tif 000007